(57)【特許請求の範囲】
【請求項１】
ドア体と、
筐体と、を含み、前記筐体の一側は開放し、前記筐体は、少なくとも第１〜第３断熱板である相互に独立する複数の断熱板を含み、前記第１断熱板は、鉛直に設けられ、且つ横断面がＵ字状に形成され、前記第２断熱板は、前記第１断熱板の頂部に水平に設けられ、且つ前記第１断熱板に接合して接続され、前記第３断熱板は、前記第１断熱板の底部に水平に設けられ、且つ前記第１断熱板に接合して接続され、
隣接する２枚の前記断熱板のうちの一方には第１接続部材が設けられ、且つ他方には第２接続部材が設けられ、前記第１接続部材には取り付けコラムが設けられ、前記第２接続部材には前記取り付けコラムに適合する凹溝が設けられ、隣接する２枚の前記断熱板は前記取り付けコラムに取り付けられることで、前記凹溝における固定部材に固定され、
前記第１接続部材は、第１接続板と、第１接続板の側辺に設けられる取り付け板と、前記第１接続板に設けられる第１位置決めボスとを含み、前記取り付けコラムが前記取り付け板に設けられ、前記第２接続部材は、第２接続板と、前記第２接続板の側辺に設けられる取り付け部と、前記第２接続板に設けられる第２位置決めボスとを含み、前記凹溝が前記取り付け部内に設けられる、
ことを特徴とする冷蔵庫。
【請求項２】
隣接する２つの前記断熱板は、係止接続される、
ことを特徴とする請求項１に記載の冷蔵庫。
【請求項３】
隣接する２つの前記断熱板のうちの一方の前記断熱板には突出部が設けられ、他方の前記断熱板には前記突出部に結合される凹溝が設けられる、
ことを特徴とする請求項２に記載の冷蔵庫。
【請求項４】
各前記断熱板は、
インナーケースと、
収容キャビティを画定するように、前記インナーケースと間隔を開けているハウジングと、
前記収容キャビティ内に設けられる断熱層と、を含む、
ことを特徴とする請求項１に記載の冷蔵庫。
【請求項５】
隣接する２つの前記断熱板のうちの一方の前記断熱板の前記断熱層には突出部が設けられ、他方の前記断熱板の前記断熱層には前記突出部に結合される凹溝が設けられる、
ことを特徴とする請求項４に記載の冷蔵庫。
【請求項６】
前記突出部が設けられる前記断熱層に結合される前記インナーケースと前記ハウジングのそれぞれには、前記突出部に向かう方向に延在している第１フランジングが設けられ、前記凹溝が設けられる前記断熱層に結合される前記インナーケースと前記ハウジングには、前記凹溝に向かう方向に延在している第２フランジングが設けられる、
ことを特徴とする請求項５に記載の冷蔵庫。
【請求項７】
前記断熱層は、ポリウレタン層である、
ことを特徴とする請求項４に記載の冷蔵庫。
【請求項８】
前記インナーケースと前記ハウジングは、金属部材又はプラスチック部材である、
ことを特徴とする請求項４に記載の冷蔵庫。
【請求項９】
隣接する２つの前記断熱板はファスナで固定して接続される、
ことを特徴とする請求項１に記載の冷蔵庫。
【請求項１０】
前記ファスナは、ネジである、
ことを特徴とする請求項９に記載の冷蔵庫。
【請求項１１】
前記冷蔵庫は、
前記筐体にヒンジ連結されるドア体と、を含む、
ことを特徴とする請求項１に記載の冷蔵庫。
【請求項１２】
前記第１接続板には、格子状で分布している複数本の第１凸条が設けられ、前記第２接続板には、それぞれ前記第２接続板と前記取り付け部に接続される複数本の第２凸条が設けられる、
ことを特徴とする請求項１に記載の冷蔵庫。
【請求項１３】
前記凹溝内には、前記取り付けコラムに適合する貫通穴が設けられ、前記固定部材は前記貫通穴を貫通して前記取り付けコラムと前記凹溝に固定して取り付けられる、
ことを特徴とする請求項１に記載の冷蔵庫。
【請求項１４】
前記取り付けコラムはネジコラムであり、前記固定部材はネジである、
ことを特徴とする請求項１に記載の冷蔵庫。
【請求項１５】
前記第１接続部材は、発泡成形された前記断熱板内に予め埋め込まれ、前記第２接続部材は、発泡成形された他方の前記断熱板内に予め埋め込まれる、
ことを特徴とする請求項１〜１４のいずれか１項に記載の冷蔵庫。
【請求項１６】
前記第１接続部材と前記断熱板は一体式構造であり、前記第２接続部材と他方の前記断熱板は一体式構造である、
ことを特徴とする請求項１〜１４のいずれか１項に記載の冷蔵庫。
【請求項１７】
前記断熱板は、インナーケースと、前記インナーケースに接続されるハウジングと、断熱層とを含み、前記インナーケースと前記ハウジングとの間には、前記断熱層が配置される収容キャビティが形成される、
ことを特徴とする請求項１〜１４のいずれか１項に記載の冷蔵庫。
【請求項１８】
前記断熱層は、ポリウレタン層又はエチレン酢酸ビニル共重合体層である、
ことを特徴とする請求項１７に記載の冷蔵庫。
【請求項１９】
２枚の隣接する前記断熱板は、互いに垂直である、
ことを特徴とする請求項１〜１４のいずれか１項に記載の冷蔵庫。
【発明の詳細な説明】
【技術分野】
【０００１】
本発明は、家電製品技術分野に関し、特に冷蔵庫に関する。
【背景技術】
【０００２】
一般的には、従来の冷蔵庫の筐体は、一体式筐体であり、冷蔵庫は出荷前に全体の組み立てが完了したことが多く、冷蔵庫の体積が大きいため、輸送中に摩損しやすく、輸送が困難である。また、様々な新型番の冷蔵庫の製造はそれぞれ、１セットの金型を個別に設計する必要があり、生産コストが高く、生産が困難である。また、冷蔵庫の寸法が固定され、随意にカスタマイズできず、消費者の個性化ニーズを満たすことができない。
【０００３】
上記欠陥に鑑みて、新しい冷蔵庫を提供する必要がある。
【発明の概要】
【発明が解決しようとする課題】
【０００４】
本発明は、関連技術の技術課題の１つを少なくともある程度まで解決することを目的とする。そのために、本発明は、輸送しやすい冷蔵庫を提供する。
【課題を解決するための手段】
【０００５】
本発明の実施例に係る冷蔵庫は、ドア体と、筐体とを含み、筐体の一側は開放し、筐体は、少なくとも第１〜第３断熱板である相互に独立する複数の断熱板を含み、第１断熱板は、鉛直に設けられ、且つ横断面がＵ字状に形成され、第２断熱板は、第１断熱板の頂部に水平に設けられ、且つ第１断熱板に接合して接続され、第３断熱板は、第１断熱板の底部に水平に設けられ、且つ第１断熱板に接合して接続される。
【０００６】
本発明の実施例に係る冷蔵庫では、冷蔵庫の筐体が相互に独立する複数枚の断熱板を接合してなることで、冷蔵庫の輸送中に、冷蔵庫を輸送しやすく、輸送先で組み立てればよいとともに、筐体全体の生産には、断熱板を生産可能な装置と金型があればよく、大きな生産装置と金型を設ける必要がなく、生産プロセスを簡略化し、コストを削減させる。
【０００７】
本発明のいくつかの実施例によれば、隣接する２つの断熱板は係止接続される。
【０００８】
具体的には、隣接する２つの断熱板のうちの一方の断熱板には突出部が設けられ、他方の断熱板には突出部に結合される凹溝が設けられる。
【０００９】
本発明のいくつかの実施例によれば、各断熱板は、インナーケースと、収容キャビティを画定するように、インナーケースと間隔を開けているハウジングと、収容キャビティ内に設けられる断熱層とを含む。
【００１０】
好ましくは、隣接する２つの断熱板のうちの一方の断熱板の断熱層には突出部が設けられ、他方の断熱板の断熱層には突出部に結合される凹溝が設けられる。
【００１１】
好ましくは、突出部が設けられる断熱層に結合されるインナーケースとハウジングのそれぞれには、突出部に向かう方向に延在している第１フランジングが設けられ、凹溝が設けられる断熱層に結合されるインナーケースとハウジングには、凹溝に向かう方向に延在している第２フランジングが設けられる。
【００１２】
好ましくは、断熱層はポリウレタン層である。
【００１３】
好ましくは、インナーケースとハウジングは金属部材又はプラスチック部材である。
【００１４】
本発明のいくつかの実施例によれば、隣接する２つの断熱板はファスナで固定して接続される。
【００１５】
好ましくは、ファスナはネジである。
【００１６】
本発明に係る冷蔵庫は、筐体と、筐体にヒンジ連結されるドア体とを含み、筐体は、相互に接合される複数枚の断熱板を含み、隣接する２枚の断熱板のうちの一方には第１接続部材が設けられ、且つ他方には第２接続部材が設けられ、第１接続部材には取り付けコラムが設けられ、第２接続部材には取り付けコラムに適合する凹溝が設けられ、隣接する２枚の断熱板は取り付けコラムに取り付けられることで、凹溝における固定部材に固定される。
【００１７】
本発明の技術案では、筐体は、相互に接合される複数枚の断熱板を含み、隣接する２枚の断熱板のうちの一方には、取り付けコラムが設けられる第１接続部材が設けられ、且つ他方には、取り付けコラムに適合する凹溝が設けられる第２接続部材が設けられ、隣接する２枚の断熱板は取り付けコラムに取り付けられることで、凹溝における固定部材に固定される。本発明の冷蔵庫の筐体は、相互に接合される複数枚の断熱板を含み、各断熱板が個別かつカスタマイズして柔軟に生産でき、従って、クライアントニーズに応じて冷蔵庫をカスタマイズし、クライアントの個性化カスタマイズニーズを満たすことができる。
【００１８】
好ましくは、第１接続部材は、第１接続板と、第１接続板の側辺に設けられる取り付け板と、第１接続板に設けられる第１位置決めボスとを含み、取り付けコラムが取り付け板に設けられ、第２接続部材は、第２接続板と、第２接続板の側辺に設けられる取り付け部と、第２接続板に設けられる第２位置決めボスとを含み、凹溝が取り付け部内に設けられる。
【００１９】
好ましくは、第１接続板には、格子状で分布している複数本の第１凸条が設けられ、第２接続板には、それぞれ第２接続板と取り付け部に接続される複数本の第２凸条が設けられる。
【００２０】
好ましくは、凹溝内には、取り付けコラムに適合する貫通穴が設けられ、固定部材は貫通穴を貫通して取り付けコラムと凹溝に固定して取り付けられる。
【００２１】
好ましくは、取り付けコラムはネジコラムであり、固定部材はネジである。
【００２２】
好ましくは、第１接続部材は、発泡成形された断熱板内に予め埋め込まれ、第２接続部材は、発泡成形された他方の断熱板内に予め埋め込まれる。
【００２３】
好ましくは、第１接続部材と断熱板は一体式構造であり、第２接続部材と他方の断熱板は一体式構造である。
【００２４】
好ましくは、断熱板は、インナーケースと、インナーケースに接続されるハウジングと、断熱層とを含み、インナーケースとハウジングとの間には、断熱層が配置される収容キャビティが形成される。
【００２５】
好ましくは、断熱層はポリウレタン層又はエチレン酢酸ビニル共重合体層である。
【００２６】
好ましくは、２枚の隣接する断熱板は互いに垂直である。
【図面の簡単な説明】
【００２７】
【図１】本発明の第１形態の実施例に係る筐体の分解図である。
【図２】本発明の第１形態の実施例に係る筐体の斜視図である。
【図３】本発明の第１形態の実施例に係る隣接する２つの断熱板の分解図である。
【図４】本発明の第１形態の実施例に係る隣接する２つの断熱板の接続模式図である。
【図５】本発明の第２形態の実施例に係る断熱板の構造模式図である。
【図６】本発明の第２形態の実施例に係る相互に接合される断熱板の構造模式図である。
【図７】本発明の第２形態の実施例に係る第１接続部材と第２接続部材の構造模式図である。
【図８】本発明の第２形態の実施例に係る第１接続部材の構造模式図である。
【図９】本発明の第２形態の実施例に係る第１接続部材の他の視点からの構造模式図である。
【図１０】本発明の第２形態の実施例に係る第２接続部材の構造模式図である。
【図１１】本発明の第２形態の実施例に係る第２接続部材の他の視点からの構造模式図である。
【発明を実施するための形態】
【００２８】
以下、本発明の実施例を詳細に説明し、前記実施例の例は図面に示される。以下、図面を参照しながら説明した実施例は例示的なものであり、本発明を解釈するためのものであり、本発明を限定するものとして理解してはいけない。
【００２９】
なお、本発明の説明において、「中心」、「縦方向」、「横方向」、「長さ」、「幅」、「厚み」、「上」、「下」、「前」、「後」、「左」、「右」、「垂直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づき、本発明を便利に又は簡単に説明するためのものであり、指定された装置又は部品が特定の方位にあり、特定の方位において構造され操作されると指示又は暗示するものではないので、本発明を限定するものと理解してはいけない。
【００３０】
また、「第１」、「第２」の用語は、単に目的を説明するためのものであり、相対重要性を指示又は暗示するか、或いは示された技術的特徴の数を黙示的に指示すると理解してはいけない。そこで、「第１」、「第２」が限定されている特徴は、少なくとも１つの該特徴を含むことを明示又は暗示するものである。
【００３１】
本発明の説明において、明確な規定と限定がない限り、「取り付け」、「互いに接続」、「接続」、「固定」などの用語は広く理解されるべきである。例えば、固定接続や、着脱可能な接続や、あるいは一体的な接続でも可能であり、機械的接続、電気的接続、あるいは、相互に通信可能な接続でも可能であり、直接的に接続することや、中間媒体を介して間接的に接続することも可能である。２つの部品の内部の貫通や、２つの部品の相互作用も可能である。当業者にとって、具体的な状況に応じて上記用語の本発明中の具体的な意味を理解することができる。
【００３２】
本発明において、明確な規定と限定がない限り、第１特徴が第２特徴の「上」又は「下」にあることは、第１特徴と第２特徴とが直接的に接触することを含んでも良いし、又は第１特徴と第２特徴とが、その間に媒体を介して間接的に接触することを含んでもよい。また、第１特徴が第２特徴の「上」、「上方」又は「以上」にあることは、第１特徴が第２特徴の真上又は斜め上にあることを含むか、或いは、単に第１特徴の水平高さが第２特徴より高いことだけを表す。第１特徴が第２特徴の「下」、「下方」又は「以下」にあることは、第１特徴が第２特徴の真下又は斜め下にあることを含むか、或いは、単に第１特徴の水平高さが第２特徴より低いことだけを表す。
【００３３】
以下、図１〜図４を参照しながら、本発明の第１形態の実施例に係る冷蔵庫を説明する。該冷蔵庫は、食物を冷蔵又は冷凍することなどに用いられる。
【００３４】
本発明の実施例に係る冷蔵庫は、ドア体（図示せず）と筐体１００を含む。
【００３５】
具体的には、筐体１００の一側は開放し、筐体１００を開閉するように、ドア体は筐体１００に回転可能に設けられる。具体的には、筐体１００の前側は開放し、筐体を開閉するように、ドア体１００は筐体に回転可能に設けられる。それにより、ドア体を開くことで、筐体１００内に食物を入れ又は筐体１００から食物を取り出すことが容易になり、ドア体を閉じることで、筐体１００内の食物を冷蔵又は冷凍しやすく、冷熱の流出を回避する。
【００３６】
ただし、使用者が筐体の開放側に正対すると、「前」は筐体から使用者に接近する方向を意味する。
【００３７】
具体的には、筐体１００は、相互に独立する複数の断熱板１０を含み、複数の断熱板１０は相互に接合して筐体１００をなすことができる。具体的には、図１〜図２に示されるように、複数の前記断熱板１０は、少なくとも第１断熱板１０ａ〜第３断熱板１０ｃであり、つまり、複数の断熱板１０の「複数」は３つ又は３つ以上であり、断熱板１０が３つである場合、断熱板１０がそれぞれ第１断熱板１０ａ、第２断熱板１０ｂ及び第３断熱板１０ｃであり、断熱板１０が３つ以上である場合、３つの断熱板１０が第１断熱板１０ａ〜第３断熱板１０ｃである。
【００３８】
具体的には、図１〜図２に示されるように、第１断熱板１０ａは、鉛直に設けられ、且つ横断面がＵ字状に形成され、第２断熱板１０ｂは、第１断熱板１０ａの頂部に水平に設けられ、且つ第１断熱板１０ａに接合して接続され、第３断熱板１０ｃは、第１断熱板１０ａの底部に水平に設けられ、且つ第１断熱板１０ａに接合して接続されることによって、筐体１００の構造を画定する。それにより、冷蔵庫の輸送中に、冷蔵庫を輸送しやすく、輸送先で組み立てればよいとともに、筐体全体の生産には、断熱板１０を生産可能な装置と金型があればよく、大きな生産装置と金型を設ける必要がなく、生産プロセスを簡略化し、コストを削減させる。
【００３９】
本発明の実施例に係る冷蔵庫は、冷蔵庫の筐体１００が複数枚の相互に独立する断熱板１０を接合してなることで、冷蔵庫の輸送中に、冷蔵庫を輸送しやすく、輸送先で組み立てればよいとともに、筐体全体の生産には、断熱板１０を生産可能な装置と金型があればよく、大きな生産装置と金型を設ける必要がなく、生産プロセスを簡略化し、コストを削減させる。
【００４０】
本発明のいくつかの実施例によれば、隣接する２つの断熱板１０は係止接続される。たとえば、図１〜図４に示されるように、隣接する２つの断熱板１０のうちの一方の断熱板１０には突出部３１が設けられ、他方の断熱板１０には突出部３１に嵌合される凹溝３２が設けられ、それにより突出部３１と凹溝３２の嵌合によって隣接する２つの断熱板１０の間の接合接続を実現し、接合隙間の減少に有利である。なお、「隣接」は、相互接続関係を有する２つの断熱板１０を意味する。
【００４１】
更に、隣接する２つの断熱板１０が係止接続された上で、前記２つの隣接する断熱板１０が更にファスナ、たとえばネジファスナを介して固定して接続されることができ、隣接する断熱板１０間の接続強度を更に向上させる。
【００４２】
本発明のいくつかの実施例によれば、図３に示されるように、各断熱板１０は、インナーケース１と、ハウジング２と、断熱層３とを含む。
【００４３】
具体的には、断熱層３が設けられる収容キャビティを画定するために、ハウジング２とインナーケース１は間隔を開けて設けられる。それにより、構成が簡単であり、断熱層３の設置によって、冷蔵庫の断熱効果の向上に有利である。好ましくは、断熱層３は発泡層である。つまり、収容キャビティ内において発泡して発泡層を形成する。
【００４４】
更に、隣接する２つの断熱板１０のうちの一方の断熱板１０の断熱層３には突出部３１が設けられ、他方の断熱板１０の断熱層３には突出部３１に嵌合される凹溝３２が設けられ、それにより、隣接する２つの断熱板１０が断熱層３を介して接合して接続され、断熱層３の低い熱伝達特性によって隣接する断熱板１０の間の接合後の断熱特性を実現することができ、このように、筐体１００内の冷熱が隣接する２つの断熱板１０の間から外へ排出することを回避でき、コーナーの組み立て位置に隙間が存在したり、冷熱が漏れたりするなどの問題を解決し、それにより冷蔵庫全体に求められた高い断熱効果を満たす。
【００４５】
好ましくは、インナーケース１はプラスチック部材又は金属部材であり、ハウジング２はプラスチック部材又は金属部材であり、つまり、インナーケース１とハウジング２の両方は金属部材であってもよく、インナーケース１とハウジング２の両方はプラスチック部材であってもよく、又はインナーケース１とハウジング２のうちの一方は金属部材、他方はプラスチック部材であってもよい。
【００４６】
好ましくは、断熱層３はポリウレタン層である。それにより、コストが低く、断熱効果が良好である。
【００４７】
なお、複数の断熱板１０を組み立てて筐体１００を完了した後、筐体１００の外面に露出する各断熱板１０の断熱層３の部分、すなわち使用者が直感的に見える断熱層３の部分は、ハウジング２とインナーケース１との間に接続される接続カバーを介して固定することができ、筐体１００の外観を改善する。
【００４８】
本発明のいくつかの好適な実施の形態としては、図３に示されるように、突出部３１が設けられる断熱層３に嵌合されるインナーケース１とハウジング２のそれぞれには、突出部３１に向かう方向に延在している第１フランジング４が設けられ、設けられる凹溝３２の断熱層３に嵌合されるインナーケース１とハウジング２には、凹溝３２に向かう方向に延在している第２フランジング５が設けられる。それにより、突出部３１が凹溝３２に嵌合されるとき、第１フランジング４と第２フランジング５の設置によって、接合位置のスムースさの確保に有利であり、隣接する２つの断熱板１０の確実な位置決め・接合を容易にする。具体的には、第１フランジング４と第２フランジングの延在方向は、対応するインナーケース１とハウジング２に鉛直に設けられる。
【００４９】
以下、図１〜図４を参照しながら、本発明の一具体的な実施例の冷蔵庫の構造を詳細に説明する。
【００５０】
本発明の実施例に係る冷蔵庫は、ドア体（図示せず）と筐体１００を含む。
【００５１】
具体的には、筐体１００の前側は開放し、筐体を開閉するように、ドア体１００は筐体に回転可能に設けられる。それにより、ドア体を開くことで、筐体１００内に食物を入れ又は筐体１００内から食物を取り出すことが容易になり、ドア体を閉じることで、筐体１００内の食物を冷蔵又は冷凍しやすく、冷熱の流出を回避する。
【００５２】
具体的には、筐体１００は、第１断熱層１０ａ、第２断熱層１０ｂ及び第３断熱層１０ｃを接合してなる。具体的には、図１〜図２に示されるように、第１断熱板１０ａは、鉛直に設けられ、且つ横断面がＵ字状に形成され、第２断熱板１０ｂは、第１断熱板１０ａの頂部に水平に設けられ、且つ第１断熱板１０ａに接合して接続され、第２断熱板１０ｂは、第１断熱板１０ａの底部に水平に設けられ、且つ第１断熱板１０ａに接合して接続されることによって、筐体１００の構造を画定する。それにより、冷蔵庫の輸送中に、冷蔵庫を輸送しやすく、輸送先で組み立てればよいとともに、筐体全体の生産には、断熱板１０を生産可能な装置と金型があればよく、大きな生産装置と金型を設ける必要がなく、生産プロセスを簡略化し、コストを削減させる。
【００５３】
具体的には、各断熱板１０は、インナーケース１と、ハウジング２と、断熱層３とを含み、断熱層３が設けられる収容キャビティを画定するように、ハウジング２とインナーケース１は間隔を開けて設けられる。それにより、構成が簡単であり、断熱層３の設置によって、冷蔵庫の断熱効果の向上に有利である。好ましくは、断熱層３は発泡層である。
【００５４】
図１に示されるように、第１断熱板１０ａの断熱層３の上下両端のそれぞれには、突出部３１ａ、３１ｂが設けられ、第２断熱板１０ｂの下面には、第１断熱板１０ａの断熱層３の上端の突出部３１ａに嵌合される凹溝３２ａが設けられ、第３断熱板１０ｃの上面には、第１断熱板１０ａの断熱層３の下端の突出部３１ｂに嵌合される凹溝３２ｂが設けられる。
【００５５】
第１断熱板１０ａのインナーケース１とハウジング２のそれぞれには、突出部３１に向かう方法に延在している第１フランジング４が設けられ、第２断熱板１０ｂのインナーケース１とハウジング２のそれぞれには、第２断熱板１０ｂの断熱層３に位置する凹溝３２ａに向かって延在している第２フランジング５が設けられ、第３断熱板１０ｃのインナーケース１とハウジング２のそれぞれには、第３断熱板１０ｂの断熱層３に位置する凹溝３２ｂに向かって延在している第２フランジング５が設けられる。
【００５６】
好ましくは、断熱層３はポリウレタン層であり、それにより、コストの削減に有利である。
【００５７】
以下、図５−図１１を参照しながら、本発明の第２形態の実施例に係る冷蔵庫を説明する。
【００５８】
本発明は、冷蔵庫を提供し、従来の冷蔵庫を用いると、使用者が冷蔵庫をカスタマイズするという個性化ニーズを満たすことができないという問題を解決することを目的とする。
【００５９】
図９、図１０、図１１及び図８に示されるように、本発明の実施例では、冷蔵庫は、筐体と、筐体にヒンジ連結されるドア体（図示略）とを含み、筐体は、相互に接合される複数枚の断熱板１０を含み、隣接する２枚の断熱板１０のうちの一方には、取り付けコラム６１が設けられる第１接続部材６が設けられ、且つ他方には、取り付けコラム６１に適合する凹溝７１が設けられる第２接続部材７が設けられ、隣接する２枚の断熱板１０は取り付けコラム６１に取り付けられることで、凹溝７１における固定部材（図示略）に固定される。本発明の冷蔵庫の筐体は、相互に接合される複数枚の断熱板１０を含み、各断熱板１０が個別かつカスタマイズして柔軟に生産でき、従って、クライアントニーズに応じて冷蔵庫をカスタマイズし、クライアントの個性化カスタマイズニーズを満たすことができる。
【００６０】
更に、図８、図９、図１０及び図１１に示されるように、第１接続部材６は、第１接続板６２と、第１接続板６２の側辺に設けられる取り付け板６３と、第１接続板６２に設けられる第１位置決めボス６４とを含み、取り付けコラム６１が取り付け板６３に設けられ、第２接続部材７は、第２接続板７２と、第２接続板７２の側辺に設けられる取り付け部７３と、第２接続板７２に設けられる第２位置決めボス７４とを含み、凹溝７１が取り付け部７３内に設けられる。第１接続部材６が断熱板１０内に予め埋め込まれるとき、第１位置決めボス６４は第１接続部材６の埋め込み位置を位置決めすることで、第１接続部材６を取り付けやすい。同様に、第２接続部材７が断熱板１０内に予め埋め込まれるとき、第２位置決めボス７４は第２接続部材７の埋め込み位置を位置決めすることで、第２接続部材７を取り付けやすい。
【００６１】
また、第１接続板６２には、格子状で分布している複数本の第１凸条６５が設けられ、第２接続板７２には、それぞれ第２接続板７５と取り付け部７３に接続される複数本の第２凸条７５が設けられる。複数本の第１凸条６５が第１接続板６２に格子状で分布していることで、第１接続部材６の構造が安定になり、複数本の第２凸条７５が取り付け部７３を起点として放射状で分布し、且つそれぞれ第２接続板７２と取り付け部７３に接続されることで、第２接続部材７の構造が安定になる。
【００６２】
更に、図１１と図１０に示されるように、凹溝７１内には、取り付けコラム６１に適合する貫通穴（図示しない）が設けられ、固定部材が貫通穴を貫通して取り付けコラム６１と凹溝７１に固定して取り付けられる。取り付けコラム６１を貫通穴に位置合わせた後に取り付け、貫通穴と取り付けコラム６１の嵌合によって取り付けコラム６１を位置決めすることで、第１接続部材６と第２接続部材７の嵌合・取り付けが容易になる。位置決めが完了した後、固定部材が貫通穴を貫通して取り付けコラム６１と凹溝７１に固定して取り付けられる。
【００６３】
取り付けコラム６１はネジコラムであり、固定部材はネジであり得る。取り付けるとき、ネジコラムを貫通穴から貫通させて位置決めした後、ネジをネジコラムに取り付け、ネジの頂部直径が大きいため、ネジで締め付けるとき、ネジの底部がネジコラムにねじ込み、ネジの頂部が第２接続部材７に係止されることで、ネジが第１接続部材６と第２接続部材７をロッキングする。他の実施例では、固定部材と取り付けコラムは締まり嵌め組み立てを用い、取り付けコラムには取り付けるためのブラインドホールが設けられ、固定部材は、ブラインドホールと締まり嵌めで組み立てられる組み立て棒（図示略）、及び組み立て棒の一端に設けられる係合部（図示略）を含み、係合部の直径が組み立て棒の直径より大きく、組み立てるとき、組み立て棒の係合部から離れる一端をブラインドホールと締まり嵌めで取り付けて位置決めし、係合部を第２接続部材７に係合することで、ファスナが第１接続部材６と第２接続部材７をロッキングする。
【００６４】
また、第１接続部材６は、発泡成形された断熱板１０内に予め埋め込まれ、第２接続部材７は、発泡成形された他の断熱板１０内に予め埋め込まれる。異なる実施例では、第１接続部材６と第２接続部材７は実際状況に応じて断熱板１０に設けることができ、たとえば一実施例では、断熱板１０は、一側辺に第１接続部材６が取り付けられ、他側辺に第２接続部材７が取り付けられるようにしてもよく、両側辺に第１接続部材６又は第２接続部材７が取り付けられ、他の断熱板１０に接続されるようにしてもよい。又は、断熱板１０の一側辺に第１接続部材６が取り付けられ、他側辺に第２接続部材７が取り付けられる場合、この断熱板１０に隣接する２枚の断熱板１０のそれぞれには第１接続部材６と第２接続部材７が取り付けられ、それにより、第１接続部材６と第２接続部材７の接続によって、断熱板１０の間の接続を実現する。
【００６５】
更に、第１接続部材６と一断熱板１０は一体式構造であり、第２接続部材７と他方の断熱板１０は一体式構造である。第１接続部材６と第２接続部材７は、断熱板１０のインナーケース（図示略）又はハウジング（図示略）に一体成形されてもよく、断熱板１０の構造が安定かつ確実になる。
【００６６】
断熱板１０は、インナーケースと、インナーケースに接続されるハウジングと、断熱層（図示略）とを含み、インナーケースとハウジングとの間には、断熱層が配置される収容キャビティが形成される。断熱層が収容キャビティ内に設けられ、インナーケースとハウジングが断熱層に対して保護作用を果たし、断熱層の品質を向上させ、それにより、冷蔵庫の使用性能を向上させる。インナーケースは、プラスチック又は金属部材であってもよく、ハウジングは、プラスチック又は金属部材であってもよい。
【００６７】
断熱層はポリウレタン層、エチレン酢酸ビニル共重合体層又はポリエチレン層などである。ポリウレタン層は、断熱効果が良好であり、防水性能が高く且つ安定性が強い。断熱層がポリウレタン層である場合、断熱層に対して防水処理を行う必要がなく、コスト低減に有利である。
【００６８】
また、２つの隣接する断熱板１０は互いに垂直であり、冷蔵庫の構造が安定になり、また、冷蔵庫の美観を向上できる。
【００６９】
本明細書の説明において、「一実施例」、「一部の実施例」、「例」、「具体的な例」又は「一部の例」などの用語を参考した説明とは、当該実施例又は例に合わせて説明された具体的な特徴、構造、材料、又は特徴が、本発明の少なくとも一つの実施例又は例に含まれることを意味する。本明細書において、上記用語に対する例示的な説明は必ずしも同一の実施例又は例を示すことではない。また、説明された具体的な特徴、構造、材料、又は特徴は、いずれか一つ又は複数の実施例又は例において適切な形態で結合することができる。なお、相互に矛盾しない場合、当業者であれば、本明細書における異なる実施例又は例、及び異なる実施例又は例における特徴を結合又は組合せすることができる。
【００７０】
以上、本発明の実施例を示して説明したものの上記実施例は、例示的なものであり、本発明を限定するものと理解してはならない。当業者は、本発明の範囲内で上記実施例に対して変更、修正、置換及び変形を行うことができる。
【符号の説明】
【００７１】
筐体１００
断熱板１０
第１断熱板１０ａ
第２断熱板１０ｂ
第３断熱板１０ｃ
インナーケース１
ハウジング２
断熱層３
突出部３１
断熱層の凹槽３２
第１フランジング４
第２フランジング５
第１接続部材６
取り付けコラム６１
第１接続板６２
取り付け板６３
第１位置決めボス６４
第１凸条６５
第２接続部材７
第２接続部材の凹槽７１
第２接続板７２
取り付け部７３
第２位置決めボス７４
第２凸条７５
【図１】
0006968257.tif 000002
【図２】
0006968257.tif 000003
【図３】
0006968257.tif 000004
【図４】
0006968257.tif 000005
【図５】
0006968257.tif 000006
【図６】
0006968257.tif 000007
【図７】
0006968257.tif 000008
【図８】
0006968257.tif 000009
【図９】
0006968257.tif 000010
【図１０】
0006968257.tif 000011
【図１１】
0006968257.tif 000012